(57)【要約】【課題】一定のセキュリティを確保しつつ、大容量のコンテンツを利用可能なコンテンツ利用方法を得ること。【解決手段】本発明のコンテンツ利用方法では、携帯電話端末１が、所望のコンテンツのアプリケーションを内部メモリ１３にダウンロードし、パソコン２が、所望のコンテンツのデータ部分をメモリカードにダウンロードし、ダウンロードマネージャ１１が、内部メモリ１３に記憶されたアプリケーションとメモリカードに記憶されたデータとの関連付けを行う。また、データのダウンロードについては暗号化処理を行うこととし、さらに、アプリケーションとデータとが１対１に対応付けられていない場合には、そのアプリケーションを実行できないこととした。【選択図】　　　図１
2004102826.tif 000002
【特許請求の範囲】
【請求項１】
所定の計算機から特定コンテンツのデータ部分のダウンロードを要求されたサーバ装置が、当該データ部分と当該データ部分に対応するアプリケーション部分のＵＲＬと前記特定コンテンツの利用を認証するための情報とを含むデータ情報を暗号化し、暗号化後のデータを返信するデータ送信ステップと、
前記計算機が、返信された暗号化データを移動可能な記録媒体に記録するデータ記録ステップと、
前記記録媒体を所定位置に挿入した携帯電話端末が、前記暗号化データを復号して前記ＵＲＬを抽出し、当該ＵＲＬを指定して、前記特定コンテンツのアプリケーション部分のダウンロードを要求するアプリケーション要求ステップと、
前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、
前記携帯電話端末が、返信されたアプリケーション部分を内部メモリに記録するアプリケーション記録ステップと、
を含むことを特徴とするコンテンツデータ処理方法。
【請求項２】
所定の計算機から特定コンテンツのデータ部分のダウンロードを要求されたサーバ装置が、当該データ部分と当該データ部分に対応するアプリケーション部分のＵＲＬと前記特定コンテンツの利用を認証するための情報とを含むデータ情報を返信するデータ送信ステップと、
前記計算機が、返信されたデータ情報を移動可能な記録媒体に記録するデータ記録ステップと、
前記記録媒体を所定位置に挿入した携帯電話端末が、前記データ情報からＵＲＬを抽出し、当該ＵＲＬを指定して、前記特定コンテンツのアプリケーション部分のダウンロードを要求するアプリケーション要求ステップと、
前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、
前記携帯電話端末が、返信されたアプリケーション部分を内部メモリに記録するアプリケーション記録ステップと、
を含むことを特徴とするコンテンツデータ処理方法。
【請求項３】
所定の計算機から特定コンテンツのデータ部分のダウンロードを要求されたサーバ装置が、当該データ部分と当該データ部分に対応するアプリケーション部分のＵＲＬと前記特定コンテンツの利用を認証するための情報とを含むデータ情報を暗号化し、暗号化後のデータを返信するデータ送信ステップと、
前記計算機と携帯電話端末が専用回線にて接続された状態で、前記計算機が、返信された暗号化データを、前記携帯電話端末の所定位置に挿入された移動可能な記録媒体に直接記録するデータ記録ステップと、
前記携帯電話端末が、前記記録媒体に記録された暗号化データを復号して前記ＵＲＬを抽出し、当該ＵＲＬを指定して、前記特定コンテンツのアプリケーション部分のダウンロードを要求するアプリケーション要求ステップと、
前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、
前記携帯電話端末が、返信されたアプリケーション部分を内部メモリに記録するアプリケーション記録ステップと、
を含むことを特徴とするコンテンツデータ処理方法。
【請求項４】
所定の計算機から特定コンテンツのデータ部分のダウンロードを要求されたサーバ装置が、当該データ部分と当該データ部分に対応するアプリケーション部分のＵＲＬと前記特定コンテンツの利用を認証するための情報とを含むデータ情報を返信するデータ送信ステップと、
前記計算機と携帯電話端末が専用回線にて接続された状態で、前記計算機が、返信されたデータ情報を、前記携帯電話端末の所定位置に挿入された移動可能な記録媒体に直接記録するデータ記録ステップと、
前記携帯電話端末が、前記記録媒体に記録されたデータ情報から前記ＵＲＬを抽出し、当該ＵＲＬを指定して、前記特定コンテンツのアプリケーション部分のダウンロードを要求するアプリケーション要求ステップと、
前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、
前記携帯電話端末が、返信されたアプリケーション部分を内部メモリに記録するアプリケーション記録ステップと、
を含むことを特徴とするコンテンツデータ処理方法。
【請求項５】
前記データ送信ステップにあっては、前記サーバ装置が、前記特定コンテンツの利用を認証するための情報として、データ固有のシリアル番号を返信し、
前記アプリケーション要求ステップにあっては、前記携帯電話端末が、さらに、前記暗号化データまたは前記データ情報から前記シリアル番号を抽出し、ダウンロード要求時に、前記シリアル番号と前記携帯電話端末の個体番号とを通知し、
前記アプリケーション送信ステップにあっては、前記サーバ装置が、前記認証処理を前記シリアル番号と前記個体番号とを用いて行うことを特徴とする請求項１〜４のいずれか一つに記載のコンテンツデータ処理方法。
【請求項６】
前記データ送信ステップにあっては、前記サーバ装置が、さらに、前記データ要求元に対してユーザ固有のパスワードを通知し、また、前記特定コンテンツの利用を認証するための情報として、データ固有のシリアル番号を返信し、
前記アプリケーション要求ステップにあっては、前記携帯電話端末が、さらに、前記暗号化データまたは前記データ情報から前記シリアル番号を抽出し、ダウンロード要求時に、前記シリアル番号と前記携帯電話端末の個体番号と前記パスワードを通知し、
前記アプリケーション送信ステップにあっては、前記サーバ装置が、前記認証処理を前記シリアル番号と前記個体番号と前記パスワードとを用いて行うことを特徴とする請求項１〜４のいずれか一つに記載のコンテンツデータ処理方法。
【請求項７】
前記データ送信ステップにあっては、前記サーバ装置が、さらに、前記データ要求元に対して前記携帯電話端末のメールアドレスの送信を要求し、当該メールアドレス宛てにユーザ固有のパスワードを通知し、また、前記特定コンテンツの利用を認証するための情報として、データ固有のシリアル番号を返信し、
前記アプリケーション要求ステップにあっては、前記携帯電話端末が、さらに、前記暗号化データまたは前記データ情報から前記シリアル番号を抽出し、ダウンロード要求時に、前記シリアル番号と前記携帯電話端末の個体番号と前記パスワードを通知し、
前記アプリケーション送信ステップにあっては、前記サーバ装置が、前記認証処理を前記シリアル番号と前記個体番号と前記パスワードとを用いて行うことを特徴とする請求項１〜４のいずれか一つに記載のコンテンツデータ処理方法。
【請求項８】
前記データ送信ステップにあっては、前記サーバ装置が、さらに、前記データ要求元に対してＰＩＮ入力を要求し、また、前記特定コンテンツの利用を認証するための情報として、データ固有のシリアル番号を返信し、
前記アプリケーション要求ステップにあっては、前記携帯電話端末が、さらに、前記暗号化データまたは前記データ情報から前記シリアル番号を抽出し、ダウンロード要求時に、前記シリアル番号と前記携帯電話端末の個体番号と前記ＰＩＮを通知し、
前記アプリケーション送信ステップにあっては、前記サーバ装置が、前記認証処理を前記シリアル番号と前記個体番号と前記ＰＩＮとを用いて行うことを特徴とする請求項１〜４のいずれか一つに記載のコンテンツデータ処理方法。
【請求項９】
携帯電話端末から特定コンテンツのアプリケーション部分のダウンロードを要求されたサーバ装置が、当該携帯電話端末を特定するための所定の情報に基づいて、当該アプリケーション部分と当該アプリケーション部分に対応するデータ部分のＵＲＬとを返信するアプリケーション送信ステップと、
前記携帯電話端末が、返信されたアプリケーション部分を内部メモリに記録し、返信されたＵＲＬを移動可能な記録媒体に記録するアプリケーション記録ステップと、
前記記録媒体を所定位置に挿入した計算機が、前記ＵＲＬを抽出し、当該ＵＲＬを指定して、前記特定コンテンツのデータ部分のダウンロードを要求するデータ要求ステップと、
前記データ部分を要求されたサーバ装置が、要求された特定コンテンツのデータ部分を暗号化して返信するデータ送信ステップと、
前記計算機が、返信された暗号化データを移動可能な記録媒体に記録するデータ記録ステップと、
を含むことを特徴とするコンテンツデータ処理方法。
【請求項１０】
携帯電話端末から特定コンテンツのアプリケーション部分のダウンロードを要求されたサーバ装置が、当該携帯電話端末を特定するための所定の情報に基づいて、当該アプリケーション部分と当該アプリケーション部分に対応するデータ部分のＵＲＬとを返信するアプリケーション送信ステップと、前記携帯電話端末が、返信されたアプリケーション部分を内部メモリに記録し、返信されたＵＲＬを移動可能な記録媒体に記録するアプリケーション記録ステップと、
前記記録媒体を所定位置に挿入した計算機が、前記ＵＲＬを抽出し、当該ＵＲＬを指定して、前記特定コンテンツのデータ部分のダウンロードを要求するデータ要求ステップと、
前記データ部分を要求されたサーバ装置が、要求された特定コンテンツのデータ部分を返信するデータ送信ステップと、
前記計算機が、返信されたデータ部分を移動可能な記録媒体に記録するデータ記録ステップと、
を含むことを特徴とするコンテンツデータ処理方法。
【請求項１１】
携帯電話端末から特定コンテンツのアプリケーション部分のダウンロードを要求されたサーバ装置が、当該携帯電話端末を特定するための所定の情報に基づいて、当該アプリケーション部分と当該アプリケーション部分に対応するデータ部分のＵＲＬとを返信するアプリケーション送信ステップと、前記携帯電話端末が、返信されたアプリケーション部分を内部メモリに記録し、返信されたＵＲＬを移動可能な記録媒体に記録するアプリケーション記録ステップと、
所定の計算機と前記携帯電話端末が専用回線にて接続された状態で、前記計算機が、前記携帯電話端末の所定位置に挿入された記録媒体から前記ＵＲＬを直接読み出し、当該ＵＲＬを指定して、前記特定コンテンツのデータ部分のダウンロードを要求するデータ要求ステップと、
前記データ部分を要求されたサーバ装置が、要求された特定コンテンツのデータ部分を暗号化して返信するデータ送信ステップと、
前記計算機が、返信された暗号化データを移動可能な記録媒体に記録するデータ記録ステップと、
を含むことを特徴とするコンテンツデータ処理方法。
【請求項１２】
携帯電話端末から特定コンテンツのアプリケーション部分のダウンロードを要求されたサーバ装置が、当該携帯電話端末を特定するための所定の情報に基づいて、当該アプリケーション部分と当該アプリケーション部分に対応するデータ部分のＵＲＬとを返信するアプリケーション送信ステップと、前記携帯電話端末が、返信されたアプリケーション部分を内部メモリに記録し、返信されたＵＲＬを移動可能な記録媒体に記録するアプリケーション記録ステップと、
所定の計算機と前記携帯電話端末が専用回線にて接続された状態で、前記計算機が、前記携帯電話端末の所定位置に挿入された記録媒体から前記ＵＲＬを直接読み出し、当該ＵＲＬを指定して、前記特定コンテンツのデータ部分のダウンロードを要求するデータ要求ステップと、
前記データ部分を要求されたサーバ装置が、要求された特定コンテンツのデータ部分を返信するデータ送信ステップと、
前記計算機が、返信されたデータ部分を移動可能な記録媒体に記録するデータ記録ステップと、
を含むことを特徴とするコンテンツデータ処理方法。
【請求項１３】
前記アプリケーション送信ステップにあっては、前記携帯電話端末を特定するための所定の情報として、前記携帯電話端末の個体番号に基づいて、前記返信処理の可否を判断することを特徴とする請求項９〜１２のいずれか一つに記載のコンテンツデータ処理方法。
【請求項１４】
前記アプリケーション送信ステップにあっては、前記サーバ装置が、さらに、前記アプリケーション要求元に対してユーザ固有のパスワードを通知し、
前記データ要求ステップにあっては、前記計算機が、ダウンロード要求時に前記パスワードを通知し、
前記データ送信ステップにあっては、前記サーバ装置が、前記パスワードを用いて認証処理を実行し、前記特定コンテンツを利用可能な要求元であることが確認できた場合に、要求された特定コンテンツのデータ部分を返信するための処理を実行することを特徴とする請求項１３に記載のコンテンツデータ処理方法。
【請求項１５】
前記アプリケーション送信ステップにあっては、前記サーバ装置が、さらに、前記アプリケーション要求元に対して前記携帯電話端末のメールアドレスの送信を要求し、当該メールアドレス宛てにユーザ固有のパスワードを通知し、
前記データ要求ステップにあっては、前記計算機が、ダウンロード要求時に前記パスワードを通知し、
前記データ送信ステップにあっては、前記サーバ装置が、前記パスワードを用いて認証処理を実行し、前記特定コンテンツを利用可能な要求元であることが確認できた場合に、要求された特定コンテンツのデータ部分を返信するための処理を実行することを特徴とする請求項１３に記載のコンテンツデータ処理方法。
【請求項１６】
前記アプリケーション送信ステップにあっては、前記サーバ装置が、さらに、前記アプリケーション要求元に対してＰＩＮ入力を要求し、前記データ要求ステップにあっては、前記計算機が、ダウンロード要求時に前記ＰＩＮを通知し、
前記データ送信ステップにあっては、前記サーバ装置が、前記ＰＩＮを用いて認証処理を実行し、前記特定コンテンツを利用可能な要求元であることが確認できた場合に、要求された特定コンテンツのデータ部分を返信するための処理を実行することを特徴とする請求項１３に記載のコンテンツデータ処理方法。
【請求項１７】
特定コンテンツのデータ部分と当該データ部分に対応するアプリケーション部分のＵＲＬと前記特定コンテンツの利用を認証するための情報とを含むデータ情報を暗号化して記録した記録媒体を、所定位置に挿入した携帯電話端末が、当該暗号化データを復号して前記ＵＲＬを抽出し、当該ＵＲＬを指定して、特定コンテンツのアプリケーション部分のダウンロードを要求するアプリケーション要求ステップと、
前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、
前記携帯電話端末が、返信されたアプリケーション部分を内部メモリに記録するアプリケーション記録ステップと、
を含むことを特徴とするコンテンツデータ処理方法。
【請求項１８】
特定コンテンツのデータ部分と当該データ部分に対応するアプリケーション部分のＵＲＬと前記特定コンテンツの利用を認証するための情報とを含むデータ情報を記録した記録媒体を、所定位置に挿入した携帯電話端末が、当該データ情報から前記ＵＲＬを抽出し、当該ＵＲＬを指定して、特定コンテンツのアプリケーション部分のダウンロードを要求するアプリケーション要求ステップと、
前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、
前記携帯電話端末が、返信されたアプリケーション部分を内部メモリに記録するアプリケーション記録ステップと、
を含むことを特徴とするコンテンツデータ処理方法。
【請求項１９】
前記データ送信ステップにあっては、前記サーバ装置が、前記特定コンテンツの利用を認証するための情報として、データ固有のシリアル番号を返信し、
前記アプリケーション要求ステップにあっては、前記携帯電話端末が、さらに、前記暗号化データまたは前記データ情報から前記特定コンテンツの利用を認証するための情報として、データ固有のシリアル番号を抽出し、ダウンロード要求時に、当該シリアル番号と前記携帯電話端末の個体番号とを通知し、
前記アプリケーション送信ステップにあっては、前記サーバ装置が、前記認証処理を前記シリアル番号と前記個体番号とを用いて行うことを特徴とする請求項１７または１８に記載のコンテンツデータ処理方法。
【請求項２０】
前記アプリケーション要求ステップにあっては、前記携帯電話端末が、さらに、前記暗号化データまたは前記データ情報から前記特定コンテンツの利用を認証するための情報として、データ固有のシリアル番号を抽出し、ダウンロード要求時に、当該シリアル番号と前記携帯電話端末の個体番号と予め知らされているパスワードを通知し、
前記アプリケーション送信ステップにあっては、前記サーバ装置が、前記認証処理を前記シリアル番号と前記個体番号と前記パスワードとを用いて行うことを特徴とする請求項１７または１８に記載のコンテンツデータ処理方法。
【請求項２１】
前記アプリケーション要求ステップにあっては、前記携帯電話端末が、さらに、前記暗号化データまたは前記データ情報から前記特定コンテンツの利用を認証するための情報として、データ固有のシリアル番号を抽出し、ダウンロード要求時に、当該シリアル番号と前記携帯電話端末の個体番号と予め登録済みのＰＩＮを通知し、
前記アプリケーション送信ステップにあっては、前記サーバ装置が、前記認証処理を前記シリアル番号と前記個体番号と前記ＰＩＮとを用いて行うことを特徴とする請求項１７または１８に記載のコンテンツデータ処理方法。
【請求項２２】
所定の計算機から特定コンテンツのデータ部分のダウンロードを要求されたサーバ装置が、対応するアプリケーションでなければ当該特定コンテンツを利用できないようにデータ部分の一部を変更した第１のコンテンツデータと、当該第１のコンテンツデータに対応する前記アプリケーション部分を含む第２のコンテンツデータのＵＲＬと、前記特定コンテンツの利用を認証するための情報と、を含むデータ情報を暗号化し、暗号化後のデータを返信するデータ送信ステップと、
前記計算機が、返信された暗号化データを移動可能な記録媒体に記録するデータ記録ステップと、
前記記録媒体を所定位置に挿入した携帯電話端末が、前記暗号化データを復号して前記ＵＲＬを抽出し、当該ＵＲＬを指定して、前記第２のコンテンツデータのダウンロードを要求するアプリケーション要求ステップと、
前記第２のコンテンツデータを要求されたサーバ装置が、所定の認証処理を実行し、前記特定コンテンツを利用可能な要求元であることが確認できた場合に、前記第２のコンテンツデータを返信するアプリケーション送信ステップと、
前記携帯電話端末が、返信された第２のコンテンツデータを内部メモリに記録するアプリケーション記録ステップと、
を含むことを特徴とするコンテンツデータ処理方法。
【請求項２３】
所定の計算機から特定コンテンツのデータ部分のダウンロードを要求されたサーバ装置が、対応するアプリケーションでなければ当該特定コンテンツを利用できないようにデータ部分の一部を変更した第１のコンテンツデータと、当該第１のコンテンツデータに対応する前記アプリケーション部分を含む第２のコンテンツデータのＵＲＬと、前記特定コンテンツの利用を認証するための情報と、を含むデータ情報を返信するデータ送信ステップと、
前記計算機が、返信されたデータ情報を移動可能な記録媒体に記録するデータ記録ステップと、
前記記録媒体を所定位置に挿入した携帯電話端末が、前記データ情報からＵＲＬを抽出し、当該ＵＲＬを指定して、前記第２のコンテンツデータのダウンロードを要求するアプリケーション要求ステップと、
前記第２のコンテンツデータを要求されたサーバ装置が、所定の認証処理を実行し、前記特定コンテンツを利用可能な要求元であることが確認できた場合に、前記第２のコンテンツデータを返信するアプリケーション送信ステップと、
前記携帯電話端末が、返信された第２のコンテンツデータを内部メモリに記録するアプリケーション記録ステップと、
を含むことを特徴とするコンテンツデータ処理方法。
【請求項２４】
所定の計算機から特定コンテンツのデータ部分のダウンロードを要求されたサーバ装置が、対応するアプリケーションでなければ当該特定コンテンツを利用できないようにデータ部分の一部を変更した第１のコンテンツデータと、当該第１のコンテンツデータに対応する前記アプリケーション部分を含む第２のコンテンツデータのＵＲＬと、前記特定コンテンツの利用を認証するための情報と、を含むデータ情報を暗号化し、暗号化後のデータを返信するデータ送信ステップと、
前記計算機と携帯電話端末が専用回線にて接続された状態で、前記計算機が、返信された暗号化データを、前記携帯電話端末の所定位置に挿入された移動可能な記録媒体に直接記録するデータ記録ステップと、
前記携帯電話端末が、前記記録媒体に記録された暗号化データを復号して前記ＵＲＬを抽出し、当該ＵＲＬを指定して、前記第２のコンテンツデータのダウンロードを要求するアプリケーション要求ステップと、
前記第２のコンテンツデータを要求されたサーバ装置が、所定の認証処理を実行し、前記特定コンテンツを利用可能な要求元であることが確認できた場合に、前記第２のコンテンツデータを返信するアプリケーション送信ステップと、
前記携帯電話端末が、返信された第２のコンテンツデータを内部メモリに記録するアプリケーション記録ステップと、
を含むことを特徴とするコンテンツデータ処理方法。
【請求項２５】
所定の計算機から特定コンテンツのデータ部分のダウンロードを要求されたサーバ装置が、対応するアプリケーションでなければ当該特定コンテンツを利用できないようにデータ部分の一部を変更した第１のコンテンツデータと、当該第１のコンテンツデータに対応する前記アプリケーション部分を含む第２のコンテンツデータのＵＲＬと、前記特定コンテンツの利用を認証するための情報と、を含むデータ情報を返信するデータ送信ステップと、
前記計算機と携帯電話端末が専用回線にて接続された状態で、前記計算機が、返信されたデータ情報を、前記携帯電話端末の所定位置に挿入された移動可能な記録媒体に直接記録するデータ記録ステップと、
前記携帯電話端末が、前記記録媒体に記録されたデータ情報から前記ＵＲＬを抽出し、当該ＵＲＬを指定して、前記第２のコンテンツデータのダウンロードを要求するアプリケーション要求ステップと、
前記第２のコンテンツデータを要求されたサーバ装置が、所定の認証処理を実行し、前記特定コンテンツを利用可能な要求元であることが確認できた場合に、前記第２のコンテンツデータを返信するアプリケーション送信ステップと、
前記携帯電話端末が、返信された第２のコンテンツデータを内部メモリに記録するアプリケーション記録ステップと、
を含むことを特徴とするコンテンツデータ処理方法。
【請求項２６】
通信事業者またはコンテンツプロバイダのサーバ装置で管理された特定コンテンツを利用する携帯電話端末において、
特定コンテンツのデータ部分と当該データ部分に対応するアプリケーション部分のＵＲＬとを含む暗号化データを記録したメモリカードを、所定位置に挿入した状態で、
前記暗号化データから前記ＵＲＬを抽出し、当該ＵＲＬを指定して、前記データ部分に対応付けられたアプリケーション部分のダウンロードを要求し、受け取ったアプリケーション部分を内部メモリに記録し、
前記メモリカードに記録されたデータ部分を用いて、当該アプリケーション部分を実行することを特徴とする携帯電話端末。
【請求項２７】
通信事業者またはコンテンツプロバイダのサーバ装置で管理された特定コンテンツを利用する携帯電話端末において、
ＵＲＬを指定して、特定コンテンツのアプリケーション部分のダウンロードを要求し、受け取ったアプリケーション部分を内部メモリに記録し、
メモリカードに記録された、当該アプリケーション部分に対応付けられたデータ部分を用いて、当該アプリケーション部分を実行することを特徴とする携帯電話端末。
【請求項２８】
携帯電話端末にて利用可能な特定コンテンツを管理する通信事業者またはコンテンツプロバイダのサーバ装置において、
所定の計算機から特定コンテンツのデータ部分のダウンロードを要求された場合に、当該データ部分を暗号化した暗号化データを返信し、
その後、携帯電話端末から前記データ部分に対応するアプリケーション部分のダウンロードを要求された場合に、所定の認証処理を実行し、前記特定コンテンツを利用可能な要求元であれば、要求された特定コンテンツのアプリケーション部分を返信することを特徴とするサーバ装置。
【請求項２９】
携帯電話端末にて利用可能な特定コンテンツを管理する通信事業者またはコンテンツプロバイダのサーバ装置において、
携帯電話端末から特定コンテンツのアプリケーション部分のダウンロードを要求された場合に、当該アプリケーション部分を返信し、
その後、所定の計算機から前記アプリケーション部分に対応するデータ部分のダウンロードを要求された場合に、所定の認証処理を実行し、前記特定コンテンツを利用可能な要求元であれば、要求された特定コンテンツのデータ部分を暗号化して返信することを特徴とするサーバ装置。
【発明の詳細な説明】
【０００１】
【発明の属する技術分野】
本発明は、携帯電話端末が通信事業者またはコンテンツプロバイダ（ＣＰ）にて管理するコンテンツを利用する場合のコンテンツデータ処理方法に関するものであり、特に、大容量のコンテンツ（たとえば地図データ等）に対応したコンテンツデータ処理方法に関するものである。
【０００２】
【従来の技術】
以下、従来の移動体通信システムについて説明する。たとえば、携帯電話端末で利用可能なコンテンツ（たとえば、ｉアプリ（登録商標）等）は、コンテンツプロバイダによってサーバ上に用意され、携帯電話端末では、それをダウンロードすることにより実行する。このとき、携帯電話端末で利用可能なコンテンツ（アプリケーション，データ）には、通常、特定の容量制限がある。また、アプリケーションが携帯電話端末内でアクセス可能なメモリ領域が、個別に指定されている。
【０００３】
また、アプリケーションには、１度ダウンロードすると後はモバイルネットワークに接続することなく使用することができる「スタンドアロン型」と、使用時にネットに接続してネット上の情報を参照する「ネットワーク接続型」の２つのタイプがある。スタンドアロン型のアプリケーションとしては、たとえば、ゲームやスケジュール管理や時計等があり、ダウンロードするとそのソフト単体で動作する。この場合は、ダウンロード以降、モバイルネットワークと接続することがないので、表示を高速化することができる。また、ダウンロード後はパケット代がかかることがなく、さらに、モバイルネットワークの圏外であってもソフトを使用することができる。一方、ネットワーク接続型のアプリケーションとしては、たとえば、株価情報や天気予報の表示処理等があり、定期的にモバイルネットワークに接続することによって最新の情報を取得し、表示に反映する。
【０００４】
このように、従来の移動体通信システムでは、モバイルネットワーク内でしかデータ通信が行われないため、ウィルス等による被害がほとんど発生しない。すなわち、モバイルネットワーク内で通信を閉じることによって、また、利用者が容易にアプリケーションやデータを閲覧および改ざんできないようにするために、アプリケーションやデータをアクセスが困難である内部メモリに保存することによって、一定のセキュリティを確保している。また、携帯電話端末と無線基地局との間を暗号化（ＳＳＬ等の暗号化アルゴリズム）されたディジタル信号で接続することによって、さらに高いセキュリティを確保することができる。
【０００５】
【特許文献１】
特開２００２−４１３９９号公報
【０００６】
【発明が解決しようとする課題】
しかしながら、上記、従来の移動体通信システムにおいて、通常、携帯電話端末で利用可能なコンテンツ（アプリケーション，データ）には、特定の容量制限があるため、たとえば、大容量のビジネスソフトやゲームソフトを実行することができない、という問題があった。
【０００７】
また、先に説明したように、アプリケーションが携帯電話端末内でアクセス可能なメモリ領域については指定されているが、アプリケーションによる外部容量からの読み取り処理や外部容量への編集処理については実行できない、という問題があった。
【０００８】
また、仮に上記特定の容量制限を解除し、モバイルネットワーク経由で大容量のビジネスソフトやゲームソフトをダウンロードすると、たとえば、従量課金を用いたシステムでは多大な通信料金が発生する、という問題があった。また、上記同様のダウンロードを実施すると、通信時間の増大を招く、という問題もあった。一方で、仮に上記特定の容量制限を解除し、外部容量経由で大容量のビジネスソフトやゲームソフトをインストールした場合には、外部の媒体の介在により、上記一定のセキュリティが確保できなくなる、という問題があった。
【０００９】
本発明は、上記に鑑みてなされたものであって、一定のセキュリティを確保しつつ、適当な料金でかつ短時間に、大容量のコンテンツを利用可能なコンテンツデータ処理方法を得ることを目的とする。
【００１０】
【課題を解決するための手段】
上述した課題を解決し、目的を達成するために、本発明にかかるコンテンツデータ処理方法にあっては、所定の計算機から特定コンテンツのデータ部分のダウンロードを要求されたサーバ装置が、当該データ部分と当該データ部分に対応するアプリケーション部分のＵＲＬと前記特定コンテンツの利用を認証するための情報とを含むデータ情報を暗号化し、暗号化後のデータを返信するデータ送信ステップと、前記計算機が、返信された暗号化データを移動可能な記録媒体に記録するデータ記録ステップと、前記記録媒体を所定位置に挿入した携帯電話端末が、前記暗号化データを復号して前記ＵＲＬを抽出し、当該ＵＲＬを指定して、前記特定コンテンツのアプリケーション部分のダウンロードを要求するアプリケーション要求ステップと、前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、前記携帯電話端末が、返信されたアプリケーション部分を内部メモリに記録するアプリケーション記録ステップと、を含むことを特徴とする。
【００１１】
つぎの発明にかかるコンテンツデータ処理方法にあっては、所定の計算機から特定コンテンツのデータ部分のダウンロードを要求されたサーバ装置が、当該データ部分と当該データ部分に対応するアプリケーション部分のＵＲＬと前記特定コンテンツの利用を認証するための情報とを含むデータ情報を返信するデータ送信ステップと、前記計算機が、返信されたデータ情報を移動可能な記録媒体に記録するデータ記録ステップと、前記記録媒体を所定位置に挿入した携帯電話端末が、前記データ情報からＵＲＬを抽出し、当該ＵＲＬを指定して、前記特定コンテンツのアプリケーション部分のダウンロードを要求するアプリケーション要求ステップと、前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、前記携帯電話端末が、返信されたアプリケーション部分を内部メモリに記録するアプリケーション記録ステップと、を含むことを特徴とする。
【００１２】
つぎの発明にかかるコンテンツデータ処理方法にあっては、所定の計算機から特定コンテンツのデータ部分のダウンロードを要求されたサーバ装置が、当該データ部分と当該データ部分に対応するアプリケーション部分のＵＲＬと前記特定コンテンツの利用を認証するための情報とを含むデータ情報を暗号化し、暗号化後のデータを返信するデータ送信ステップと、前記計算機と携帯電話端末が専用回線にて接続された状態で、前記計算機が、返信された暗号化データを、前記携帯電話端末の所定位置に挿入された移動可能な記録媒体に直接記録するデータ記録ステップと、前記携帯電話端末が、前記記録媒体に記録された暗号化データを復号して前記ＵＲＬを抽出し、当該ＵＲＬを指定して、前記特定コンテンツのアプリケーション部分のダウンロードを要求するアプリケーション要求ステップと、前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、前記携帯電話端末が、返信されたアプリケーション部分を内部メモリに記録するアプリケーション記録ステップと、を含むことを特徴とする。
【００１３】
つぎの発明にかかるコンテンツデータ処理方法にあっては、所定の計算機から特定コンテンツのデータ部分のダウンロードを要求されたサーバ装置が、当該データ部分と当該データ部分に対応するアプリケーション部分のＵＲＬと前記特定コンテンツの利用を認証するための情報とを含むデータ情報を返信するデータ送信ステップと、前記計算機と携帯電話端末が専用回線にて接続された状態で、前記計算機が、返信されたデータ情報を、前記携帯電話端末の所定位置に挿入された移動可能な記録媒体に直接記録するデータ記録ステップと、前記携帯電話端末が、前記記録媒体に記録されたデータ情報から前記ＵＲＬを抽出し、当該ＵＲＬを指定して、前記特定コンテンツのアプリケーション部分のダウンロードを要求するアプリケーション要求ステップと、前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、前記携帯電話端末が、返信されたアプリケーション部分を内部メモリに記録するアプリケーション記録ステップと、を含むことを特徴とする。
【００１４】
つぎの発明にかかるコンテンツデータ処理方法において、前記データ送信ステップにあっては、前記サーバ装置が、前記特定コンテンツの利用を認証するための情報として、データ固有のシリアル番号を返信し、前記アプリケーション要求ステップにあっては、前記携帯電話端末が、さらに、前記暗号化データまたは前記データ情報から前記シリアル番号を抽出し、ダウンロード要求時に、前記シリアル番号と前記携帯電話端末の個体番号とを通知し、前記アプリケーション送信ステップにあっては、前記サーバ装置が、前記認証処理を前記シリアル番号と前記個体番号とを用いて行うことを特徴とする。
【００１５】
つぎの発明にかかるコンテンツデータ処理方法において、前記データ送信ステップにあっては、前記サーバ装置が、さらに、前記データ要求元に対してユーザ固有のパスワードを通知し、また、前記特定コンテンツの利用を認証するための情報として、データ固有のシリアル番号を返信し、前記アプリケーション要求ステップにあっては、前記携帯電話端末が、さらに、前記暗号化データまたは前記データ情報から前記シリアル番号を抽出し、ダウンロード要求時に、前記シリアル番号と前記携帯電話端末の個体番号と前記パスワードを通知し、前記アプリケーション送信ステップにあっては、前記サーバ装置が、前記認証処理を前記シリアル番号と前記個体番号と前記パスワードとを用いて行うことを特徴とする。
【００１６】
つぎの発明にかかるコンテンツデータ処理方法において、前記データ送信ステップにあっては、前記サーバ装置が、さらに、前記データ要求元に対して前記携帯電話端末のメールアドレスの送信を要求し、当該メールアドレス宛てにユーザ固有のパスワードを通知し、また、前記特定コンテンツの利用を認証するための情報として、データ固有のシリアル番号を返信し、前記アプリケーション要求ステップにあっては、前記携帯電話端末が、さらに、前記暗号化データまたは前記データ情報から前記シリアル番号を抽出し、ダウンロード要求時に、前記シリアル番号と前記携帯電話端末の個体番号と前記パスワードを通知し、前記アプリケーション送信ステップにあっては、前記サーバ装置が、前記認証処理を前記シリアル番号と前記個体番号と前記パスワードとを用いて行うことを特徴とする。
【００１７】
つぎの発明にかかるコンテンツデータ処理方法において、前記データ送信ステップにあっては、前記サーバ装置が、さらに、前記データ要求元に対してＰＩＮ入力を要求し、また、前記特定コンテンツの利用を認証するための情報として、データ固有のシリアル番号を返信し、前記アプリケーション要求ステップにあっては、前記携帯電話端末が、さらに、前記暗号化データまたは前記データ情報から前記シリアル番号を抽出し、ダウンロード要求時に、前記シリアル番号と前記携帯電話端末の個体番号と前記ＰＩＮを通知し、前記アプリケーション送信ステップにあっては、前記サーバ装置が、前記認証処理を前記シリアル番号と前記個体番号と前記ＰＩＮとを用いて行うことを特徴とする。
【００１８】
つぎの発明にかかるコンテンツデータ処理方法にあっては、携帯電話端末から特定コンテンツのアプリケーション部分のダウンロードを要求されたサーバ装置が、当該携帯電話端末を特定するための所定の情報に基づいて、当該アプリケーション部分と当該アプリケーション部分に対応するデータ部分のＵＲＬとを返信するアプリケーション送信ステップと、前記携帯電話端末が、返信されたアプリケーション部分を内部メモリに記録し、返信されたＵＲＬを移動可能な記録媒体に記録するアプリケーション記録ステップと、前記記録媒体を所定位置に挿入した計算機が、前記ＵＲＬを抽出し、当該ＵＲＬを指定して、前記特定コンテンツのデータ部分のダウンロードを要求するデータ要求ステップと、前記データ部分を要求されたサーバ装置が、要求された特定コンテンツのデータ部分を暗号化して返信するデータ送信ステップと、前記計算機が、返信された暗号化データを移動可能な記録媒体に記録するデータ記録ステップと、を含むことを特徴とする。
【００１９】
つぎの発明にかかるコンテンツデータ処理方法にあっては、携帯電話端末から特定コンテンツのアプリケーション部分のダウンロードを要求されたサーバ装置が、当該携帯電話端末を特定するための所定の情報に基づいて、当該アプリケーション部分と当該アプリケーション部分に対応するデータ部分のＵＲＬとを返信するアプリケーション送信ステップと、前記携帯電話端末が、返信されたアプリケーション部分を内部メモリに記録し、返信されたＵＲＬを移動可能な記録媒体に記録するアプリケーション記録ステップと、前記記録媒体を所定位置に挿入した計算機が、前記ＵＲＬを抽出し、当該ＵＲＬを指定して、前記特定コンテンツのデータ部分のダウンロードを要求するデータ要求ステップと、前記データ部分を要求されたサーバ装置が、要求された特定コンテンツのデータ部分を返信するデータ送信ステップと、前記計算機が、返信されたデータ部分を移動可能な記録媒体に記録するデータ記録ステップと、を含むことを特徴とする。
【００２０】
つぎの発明にかかるコンテンツデータ処理方法にあっては、携帯電話端末から特定コンテンツのアプリケーション部分のダウンロードを要求されたサーバ装置が、当該携帯電話端末を特定するための所定の情報に基づいて、当該アプリケーション部分と当該アプリケーション部分に対応するデータ部分のＵＲＬとを返信するアプリケーション送信ステップと、前記携帯電話端末が、返信されたアプリケーション部分を内部メモリに記録し、返信されたＵＲＬを移動可能な記録媒体に記録するアプリケーション記録ステップと、所定の計算機と前記携帯電話端末が専用回線にて接続された状態で、前記計算機が、前記携帯電話端末の所定位置に挿入された記録媒体から前記ＵＲＬを直接読み出し、当該ＵＲＬを指定して、前記特定コンテンツのデータ部分のダウンロードを要求するデータ要求ステップと、前記データ部分を要求されたサーバ装置が、要求された特定コンテンツのデータ部分を暗号化して返信するデータ送信ステップと、前記計算機が、返信された暗号化データを移動可能な記録媒体に記録するデータ記録ステップと、を含むことを特徴とする。
【００２１】
つぎの発明にかかるコンテンツデータ処理方法にあっては、携帯電話端末から特定コンテンツのアプリケーション部分のダウンロードを要求されたサーバ装置が、当該携帯電話端末を特定するための所定の情報に基づいて、当該アプリケーション部分と当該アプリケーション部分に対応するデータ部分のＵＲＬとを返信するアプリケーション送信ステップと、前記携帯電話端末が、返信されたアプリケーション部分を内部メモリに記録し、返信されたＵＲＬを移動可能な記録媒体に記録するアプリケーション記録ステップと、所定の計算機と前記携帯電話端末が専用回線にて接続された状態で、前記計算機が、前記携帯電話端末の所定位置に挿入された記録媒体から前記ＵＲＬを直接読み出し、当該ＵＲＬを指定して、前記特定コンテンツのデータ部分のダウンロードを要求するデータ要求ステップと、前記データ部分を要求されたサーバ装置が、要求された特定コンテンツのデータ部分を返信するデータ送信ステップと、前記計算機が、返信されたデータ部分を移動可能な記録媒体に記録するデータ記録ステップと、を含むことを特徴とする。
【００２２】
つぎの発明にかかるコンテンツデータ処理方法において、前記アプリケーション送信ステップにあっては、前記携帯電話端末を特定するための所定の情報として、前記携帯電話端末の個体番号に基づいて、前記返信処理の可否を判断することを特徴とする。
【００２３】
つぎの発明にかかるコンテンツデータ処理方法において、前記アプリケーション送信ステップにあっては、前記サーバ装置が、さらに、前記アプリケーション要求元に対してユーザ固有のパスワードを通知し、前記データ要求ステップにあっては、前記計算機が、ダウンロード要求時に前記パスワードを通知し、前記データ送信ステップにあっては、前記サーバ装置が、前記パスワードを用いて認証処理を実行し、前記特定コンテンツを利用可能な要求元であることが確認できた場合に、要求された特定コンテンツのデータ部分を返信することを特徴とする。
【００２４】
つぎの発明にかかるコンテンツデータ処理方法において、前記アプリケーション送信ステップにあっては、前記サーバ装置が、さらに、前記アプリケーション要求元に対して前記携帯電話端末のメールアドレスの送信を要求し、当該メールアドレス宛てにユーザ固有のパスワードを通知し、前記データ要求ステップにあっては、前記計算機が、ダウンロード要求時に前記パスワードを通知し、前記データ送信ステップにあっては、前記サーバ装置が、前記パスワードを用いて認証処理を実行し、前記特定コンテンツを利用可能な要求元であることが確認できた場合に、要求された特定コンテンツのデータ部分を返信することを特徴とする。
【００２５】
つぎの発明にかかるコンテンツデータ処理方法において、前記アプリケーション送信ステップにあっては、前記サーバ装置が、さらに、前記アプリケーション要求元に対してＰＩＮ入力を要求し、前記データ要求ステップにあっては、前記計算機が、ダウンロード要求時に前記ＰＩＮを通知し、前記データ送信ステップにあっては、前記サーバ装置が、前記ＰＩＮを用いて認証処理を実行し、前記特定コンテンツを利用可能な要求元であることが確認できた場合に、要求された特定コンテンツのデータ部分を返信することを特徴とする。
【００２６】
つぎの発明にかかるコンテンツデータ処理方法にあっては、特定コンテンツのデータ部分と当該データ部分に対応するアプリケーション部分のＵＲＬと前記特定コンテンツの利用を認証するための情報とを含むデータ情報を暗号化して記録した記録媒体を、所定位置に挿入した携帯電話端末が、当該暗号化データを復号して前記ＵＲＬを抽出し、当該ＵＲＬを指定して、特定コンテンツのアプリケーション部分のダウンロードを要求するアプリケーション要求ステップと、前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、前記携帯電話端末が、返信されたアプリケーション部分を内部メモリに記録するアプリケーション記録ステップと、を含むことを特徴とする。
【００２７】
つぎの発明にかかるコンテンツデータ処理方法にあっては、特定コンテンツのデータ部分と当該データ部分に対応するアプリケーション部分のＵＲＬと前記特定コンテンツの利用を認証するための情報とを含むデータ情報を記録した記録媒体を、所定位置に挿入した携帯電話端末が、当該データ情報から前記ＵＲＬを抽出し、当該ＵＲＬを指定して、特定コンテンツのアプリケーション部分のダウンロードを要求するアプリケーション要求ステップと、前記アプリケーション部分を要求されたサーバ装置が、所定の認証処理を実行し、前記特定コンテンツを利用可能な要求元であることが確認できた場合に、要求された特定コンテンツのアプリケーション部分を返信するアプリケーション送信ステップと、前記携帯電話端末が、返信されたアプリケーション部分を内部メモリに記録するアプリケーション記録ステップと、を含むことを特徴とする。
【００２８】
つぎの発明にかかるコンテンツデータ処理方法において、前記データ送信ステップにあっては、前記サーバ装置が、前記特定コンテンツの利用を認証するための情報として、データ固有のシリアル番号を返信し、前記アプリケーション要求ステップにあっては、前記携帯電話端末が、さらに、前記暗号化データまたは前記データ情報から前記特定コンテンツの利用を認証するための情報として、データ固有のシリアル番号を抽出し、ダウンロード要求時に、当該シリアル番号と前記携帯電話端末の個体番号とを通知し、前記アプリケーション送信ステップにあっては、前記サーバ装置が、前記認証処理を前記シリアル番号と前記個体番号とを用いて行うことを特徴とする。
【００２９】
つぎの発明にかかるコンテンツデータ処理方法において、前記アプリケーション要求ステップにあっては、前記携帯電話端末が、さらに、前記暗号化データまたは前記データ情報から前記特定コンテンツの利用を認証するための情報として、データ固有のシリアル番号を抽出し、ダウンロード要求時に、当該シリアル番号と前記携帯電話端末の個体番号と予め知らされているパスワードを通知し、前記アプリケーション送信ステップにあっては、前記サーバ装置が、前記認証処理を前記シリアル番号と前記個体番号と前記パスワードとを用いて行うことを特徴とする。
【００３０】
つぎの発明にかかるコンテンツデータ処理方法において、前記アプリケーション要求ステップにあっては、前記携帯電話端末が、さらに、前記暗号化データまたは前記データ情報から前記特定コンテンツの利用を認証するための情報として、データ固有のシリアル番号を抽出し、ダウンロード要求時に、当該シリアル番号と前記携帯電話端末の個体番号と予め登録済みのＰＩＮを通知し、前記アプリケーション送信ステップにあっては、前記サーバ装置が、前記認証処理を前記シリアル番号と前記個体番号と前記ＰＩＮとを用いて行うことを特徴とする。
【００３１】
つぎの発明にかかるコンテンツデータ処理方法にあっては、所定の計算機から特定コンテンツのデータ部分のダウンロードを要求されたサーバ装置が、対応するアプリケーションでなければ当該特定コンテンツを利用できないようにデータ部分の一部を変更した第１のコンテンツデータと、当該第１のコンテンツデータに対応する前記アプリケーション部分を含む第２のコンテンツデータのＵＲＬと、前記特定コンテンツの利用を認証するための情報と、を含むデータ情報を暗号化し、暗号化後のデータを返信するデータ送信ステップと、前記計算機が、返信された暗号化データを移動可能な記録媒体に記録するデータ記録ステップと、前記記録媒体を所定位置に挿入した携帯電話端末が、前記暗号化データを復号して前記ＵＲＬを抽出し、当該ＵＲＬを指定して、前記第２のコンテンツデータのダウンロードを要求するアプリケーション要求ステップと、前記第２のコンテンツデータを要求されたサーバ装置が、所定の認証処理を実行し、前記特定コンテンツを利用可能な要求元であることが確認できた場合に、前記第２のコンテンツデータを返信するアプリケーション送信ステップと、前記携帯電話端末が、返信された第２のコンテンツデータを内部メモリに記録するアプリケーション記録ステップと、を含むことを特徴とする。
【００３２】
つぎの発明にかかるコンテンツデータ処理方法にあっては、所定の計算機から特定コンテンツのデータ部分のダウンロードを要求されたサーバ装置が、対応するアプリケーションでなければ当該特定コンテンツを利用できないようにデータ部分の一部を変更した第１のコンテンツデータと、当該第１のコンテンツデータに対応する前記アプリケーション部分を含む第２のコンテンツデータのＵＲＬと、前記特定コンテンツの利用を認証するための情報と、を含むデータ情報を返信するデータ送信ステップと、前記計算機が、返信されたデータ情報を移動可能な記録媒体に記録するデータ記録ステップと、前記記録媒体を所定位置に挿入した携帯電話端末が、前記データ情報からＵＲＬを抽出し、当該ＵＲＬを指定して、前記第２のコンテンツデータのダウンロードを要求するアプリケーション要求ステップと、前記第２のコンテンツデータを要求されたサーバ装置が、所定の認証処理を実行し、前記特定コンテンツを利用可能な要求元であることが確認できた場合に、前記第２のコンテンツデータを返信するアプリケーション送信ステップと、前記携帯電話端末が、返信された第２のコンテンツデータを内部メモリに記録するアプリケーション記録ステップと、を含むことを特徴とする。
【００３３】
つぎの発明にかかるコンテンツデータ処理方法にあっては、所定の計算機から特定コンテンツのデータ部分のダウンロードを要求されたサーバ装置が、対応するアプリケーションでなければ当該特定コンテンツを利用できないようにデータ部分の一部を変更した第１のコンテンツデータと、当該第１のコンテンツデータに対応する前記アプリケーション部分を含む第２のコンテンツデータのＵＲＬと、前記特定コンテンツの利用を認証するための情報と、を含むデータ情報を暗号化し、暗号化後のデータを返信するデータ送信ステップと、前記計算機と携帯電話端末が専用回線にて接続された状態で、前記計算機が、返信された暗号化データを、前記携帯電話端末の所定位置に挿入された移動可能な記録媒体に直接記録するデータ記録ステップと、前記携帯電話端末が、前記記録媒体に記録された暗号化データを復号して前記ＵＲＬを抽出し、当該ＵＲＬを指定して、前記第２のコンテンツデータのダウンロードを要求するアプリケーション要求ステップと、前記第２のコンテンツデータを要求されたサーバ装置が、所定の認証処理を実行し、前記特定コンテンツを利用可能な要求元であることが確認できた場合に、前記第２のコンテンツデータを返信するアプリケーション送信ステップと、前記携帯電話端末が、返信された第２のコンテンツデータを内部メモリに記録するアプリケーション記録ステップと、を含むことを特徴とする。
【００３４】
つぎの発明にかかるコンテンツデータ処理方法にあっては、所定の計算機から特定コンテンツのデータ部分のダウンロードを要求されたサーバ装置が、対応するアプリケーションでなければ当該特定コンテンツを利用できないようにデータ部分の一部を変更した第１のコンテンツデータと、当該第１のコンテンツデータに対応する前記アプリケーション部分を含む第２のコンテンツデータのＵＲＬと、前記特定コンテンツの利用を認証するための情報と、を含むデータ情報を返信するデータ送信ステップと、前記計算機と携帯電話端末が専用回線にて接続された状態で、前記計算機が、返信されたデータ情報を、前記携帯電話端末の所定位置に挿入された移動可能な記録媒体に直接記録するデータ記録ステップと、前記携帯電話端末が、前記記録媒体に記録されたデータ情報から前記ＵＲＬを抽出し、当該ＵＲＬを指定して、前記第２のコンテンツデータのダウンロードを要求するアプリケーション要求ステップと、前記第２のコンテンツデータを要求されたサーバ装置が、所定の認証処理を実行し、前記特定コンテンツを利用可能な要求元であることが確認できた場合に、前記第２のコンテンツデータを返信するアプリケーション送信ステップと、前記携帯電話端末が、返信された第２のコンテンツデータを内部メモリに記録するアプリケーション記録ステップと、を含むことを特徴とするコンテンツデータ処理方法。
【００３５】
つぎの発明にかかる携帯電話端末にあっては、通信事業者またはコンテンツプロバイダのサーバ装置で管理された特定コンテンツを利用する場合、特定コンテンツのデータ部分と当該データ部分に対応するアプリケーション部分のＵＲＬとを含む暗号化データを記録したメモリカードを、所定位置に挿入した状態で、前記暗号化データから前記ＵＲＬを抽出し、当該ＵＲＬを指定して、前記データ部分に対応付けられたアプリケーション部分のダウンロードを要求し、受け取ったアプリケーション部分を内部メモリに記録し、前記メモリカードに記録されたデータ部分を用いて、当該アプリケーション部分を実行することを特徴とする。
【００３６】
つぎの発明にかかる携帯電話端末にあっては、通信事業者またはコンテンツプロバイダのサーバ装置で管理された特定コンテンツを利用する場合、ＵＲＬを指定して、特定コンテンツのアプリケーション部分のダウンロードを要求し、受け取ったアプリケーション部分を内部メモリに記録し、メモリカードに記録された、当該アプリケーション部分に対応付けられたデータ部分を用いて、当該アプリケーション部分を実行することを特徴とする。
【００３７】
つぎの発明にかかるサーバ装置にあっては、携帯電話端末にて利用可能な特定コンテンツを管理し、たとえば、所定の計算機から特定コンテンツのデータ部分のダウンロードを要求された場合に、当該データ部分を暗号化した暗号化データを返信し、その後、携帯電話端末から前記データ部分に対応するアプリケーション部分のダウンロードを要求された場合に、所定の認証処理を実行し、前記特定コンテンツを利用可能な要求元であれば、要求された特定コンテンツのアプリケーション部分を返信することを特徴とする。
【００３８】
つぎの発明にかかるサーバ装置にあっては、携帯電話端末にて利用可能な特定コンテンツを管理し、たとえば、携帯電話端末から特定コンテンツのアプリケーション部分のダウンロードを要求された場合に、当該アプリケーション部分を返信し、その後、所定の計算機から前記アプリケーション部分に対応するデータ部分のダウンロードを要求された場合に、所定の認証処理を実行し、前記特定コンテンツを利用可能な要求元であれば、要求された特定コンテンツのデータ部分を暗号化して返信することを特徴とする。
【００３９】
【発明の実施の形態】
以下に、本発明にかかるコンテンツデータ処理方法の実施の形態を図面に基づいて詳細に説明する。なお、この実施の形態によりこの発明が限定されるものではない。
【００４０】
実施の形態１．
図１は、本発明にかかる移動体通信システムの構成を示す図である。図１において、１は所望のコンテンツのアプリケーションをダウンロードする携帯電話端末であり、２はアプリケーションの実行に必要なデータをダウンロードするパソコン（ＰＣ）であり、３は通信事業者またはコンテンツプロバイダ（ＣＰ）のサーバであり、１１は所望のコンテンツのアプリケーションとデータとを関連付けるダウンロードマネージャであり、１２はアプリケーションを実行するブラウザであり、１３は内部メモリであり、２１はメモリカードからのデータの読み出し処理，メモリカードへのデータの書き込み処理を行うダウンロードマネージャである。なお、パソコン２をＰＤＡ端末やディジタルＴＶ等の他のメモリカード対応機器に置き換えることとしてもよい。また、ダウンロードマネージャ１１については、サーバ３からダウンロードすることとしてもよいし、携帯電話端末１に予め内蔵する構成としてもよい。
【００４１】
上記のように構成される移動体通信システムでは、携帯電話端末１が、所望のコンテンツのアプリケーション（小容量データ）を内部メモリ１３にダウンロードし、パソコン２が、所望のコンテンツのデータ（大容量データ）をメモリカードにダウンロードする。そして、ダウンロードマネージャ１１が、内部メモリ１３に記憶されたアプリケーションとメモリカードに記憶されたデータとの関連付けを行う。
【００４２】
なお、サーバ３からパソコン２へのダウンロードについては、モバイルネットワーク以外の外部のインターネット網経由で行われるため暗号化処理を行う。さらに、アプリケーションとデータとを後述する所定の方法で１対１に対応付けることによって、第三者による利用を防ぐ。これにより、インターネット網を用いる通信においてもモバイルネットワークを用いた場合と同様のセキュリティを確保できる。
【００４３】
また、本実施の形態では、コンテンツを単純にアプリケーションとデータに分割した例について説明するが、これに限らず、たとえば、データの一部をアプリケーションに含ませることとしてもよい。具体的にいうと、データの一部をランダムに削除し、アプリケーションの実行でそのデータを再生できるようにする。このとき、対となるアプリケーションでなければ、所望のコンテンツを利用できないようにデータを構成する。これにより、データの不正使用を防止することができる。
【００４４】
ここで、上記移動体通信システムにおけるコンテンツデータ処理方法について詳細に説明する。図２は、実施の形態１のコンテンツデータ処理方法を示す図であり、図３は、本実施の形態のコンテンツデータ処理方法における第１のダウンロード手順を示す図である。ここでは、シリアルナンバー，個体番号を用いて認証を行う例について説明する。
【００４５】
まず、ユーザは、所望のコンテンツを利用するための準備として、携帯電話端末１およびパソコン２に予めダウンロードマネージャをダウンロードしておく（ステップＳ１，Ｓ２）。なお、ダウンロードマネージャ１１が予め組み込まれた携帯電話端末１については、この処理を行う必要はない。
【００４６】
つぎに、携帯電話端末１およびパソコン２では、図３に示す手順にしたがって、サーバ３から所望のコンテンツのアプリケーションおよびデータをダウンロードする（ステップＳ３）。まず、ユーザは、パソコン２を用いて所望のコンテンツのデータをダウンロードするためのダウンロード要求と課金情報（課金あり／なし）をサーバ３に対して送信する（ステップＳ２１）。サーバ３では、要求元ユーザ毎に個別のシリアルナンバーを発行し、当該シリアルナンバー，受け取った課金情報等をデータ取得情報として記録する（ステップＳ２２）。そして、「課金あり」の場合は、要求されたコンテンツのデータと上記シリアルナンバーと課金情報（課金あり）とこのデータに対応するアプリケーションのＵＲＬとを含むデータ情報を暗号化し、暗号化後のデータをパソコン２に対して送信する（ステップＳ２３）。なお、セキュリティをある程度許容できる場合には、上記暗号化処理を行う必要はない。
【００４７】
つぎに、ユーザは、パソコン２を用いてダウンロードマネージャ２１を起動する（ステップＳ２４）。ダウンロードマネージャ２１は、受け取った暗号化データを、メモリカードに記録する（ステップＳ２５）。なお、予め上記同様の特定のコンテンツデータ（上記暗号化データまたは上記データ情報）が格納されたメディア等を直接販売する場合には、上記、ステップＳ１，ステップＳ２１〜Ｓ２５を行う必要はない。
【００４８】
つぎに、ユーザは、上記暗号化データが記録されたメモリカードを携帯電話端末１の所定位置に挿入し（ステップＳ２６）、携帯電話端末１を用いてダウンロードマネージャ１１を起動する（ステップＳ２７）。ダウンロードマネージャ１１では、メモリカードにアクセスして（ステップＳ２８）暗号化データを復号し、復号後の所望コンテンツのデータから対応するアプリケーションのＵＲＬを抽出し、当該ＵＲＬとシリアルナンバーと課金情報（課金あり）とを含めたデータ情報を読み出す（ステップＳ２９）。
【００４９】
そして、このデータ情報の通知によりブラウザ１２が起動する（ステップＳ３０）。起動直後、ブラウザ１２は、内部メモリ１３から携帯電話端末１の個体番号を読み出す（ステップＳ３１）。その後、通知されたデータ情報内のＵＲＬを指定して、上記シリアルナンバーと課金情報（課金あり）と個体番号を含めたデータ情報を、サーバ３に対して送信する（ステップＳ３２）。
【００５０】
データ情報を受け取ったサーバ３では、シリアルナンバー，個体番号による認証を行い（ステップＳ３３）、ＯＫであれば、シリアルナンバーと課金情報（課金あり）と個体番号をアプリケーション取得情報として記録する（ステップＳ３４）。その後、サーバ３では、要求されたコンテンツのアプリケーション（＋シリアルナンバー）を携帯電話端末１に対して送信する（ステップＳ３５）。
【００５１】
携帯電話端末１では、受け取った所望のコンテンツのアプリケーションを内部メモリ１３に記憶する（ステップＳ３６）。
【００５２】
その後、ユーザは、携帯電話端末１にメモリカードが挿入された状態で（ステップＳ４）、ダウンロードしたアプリケーションを実行する（ステップＳ５）。そして、携帯電話端末１のダウンロードマネージャ１１が、メモリカードに対してアクセスすることによって（ステップＳ９）、所望のコンテンツを利用する（ステップＳ１０）。なお、アプリケーション実行後、サーバ３による認証が必要な場合は、まず、携帯電話端末１が、個体番号と起動されたアプリケーションのシリアルナンバーとをサーバ３に対して送信する（ステップＳ６）。そして、サーバ３が、受け取った個体番号とシリアルナンバーによる認証を行い（ステップＳ７）、ＯＫであれば、携帯電話端末１に対して実行許可を通知する（ステップＳ８）。以降、携帯電話端末１が、上記同様の手順で、所望のコンテンツを利用する。
【００５３】
なお、本実施の形態においては、図３に示す手順にしたがって、所望のコンテンツのアプリケーションおよびデータをダウンロードする（ステップＳ３）こととしたが、これに限らず、後述する図４，図５，図６にしたがってダウンロードすることとしてもよい。
【００５４】
図４は、実施の形態１のコンテンツデータ処理方法における第２のダウンロード手順を示す図である。ここでは、シリアルナンバーとパスワードと個体番号を用いて認証を行う例について説明する。なお、先に説明した図３と同様の処理については同一のステップ番号を付してその説明を省略する。
【００５５】
まず、ステップＳ２１の処理で所望のコンテンツのデータをダウンロードするためのダウンロード要求と課金情報（課金あり／なし）を受け取ったサーバ３では、要求元ユーザ毎に個別のシリアルナンバーとパスワードを発行し、当該パスワード，シリアルナンバー，上記課金情報等を、データ取得情報として記録する（ステップＳ４１）。そして、パソコン２に対してパスワードを通知し（ステップＳ４２）、その後、図３と同様に、要求されたコンテンツのデータと上記シリアルナンバーと課金情報（課金あり）とを含むデータ情報を暗号化し、暗号化後のデータをパソコン２に対して送信する（ステップＳ２３）。なお、セキュリティをある程度許容できる場合には、上記暗号化処理を行う必要はない。一方、パソコン２では、受け取ったパスワードを画面上に表示する（ステップＳ４３）。
【００５６】
また、ステップＳ３３の処理でシリアルナンバー，個体番号による認証を行ったサーバ３では、つぎに、携帯電話端末１のブラウザ１２に対してパスワード要求を通知する（ステップＳ４４）。パスワード要求を受け取ったブラウザ１２では、パスワード入力の画面を表示し、パスワードの入力を待つ。そして、ユーザがパスワードの入力操作を行った後、そのパスワードをサーバ３に対して送信する（ステップＳ４５）。サーバ３では、受け取ったパスワードによる認証を行い（ステップＳ４６）、ＯＫであれば、図３と同様に、シリアルナンバーと課金情報（課金あり）と個体番号をアプリケーション取得情報として記録する（ステップＳ３４）。
【００５７】
なお、予め上記特定のコンテンツデータ（上記暗号化データまたは上記データ情報）が格納されたメディア等を直接販売する場合には、ステップＳ１，ステップＳ２１〜Ｓ２５，Ｓ４２〜Ｓ４３を行う必要はない。また、この場合には、メディアのパッケージに記載する等の方法で、ユーザにパスワードを知らせる。
【００５８】
また、図５は、実施の形態１のコンテンツデータ処理方法における第３のダウンロード手順を示す図である。ここでは、メールにてパスワードを発行し、シリアルナンバーとパスワードと個体番号を用いて認証を行う例について説明する。なお、先に説明した図３と同様の処理については同一のステップ番号を付してその説明を省略する。
【００５９】
まず、ステップＳ２１の処理で所望のコンテンツのデータをダウンロードするためのダウンロード要求と課金情報（課金あり／なし）を受け取ったサーバ３では、要求元ユーザ毎に個別のシリアルナンバーとパスワードを発行する。同時に、パソコン２に対してメールアドレス要求を通知する（ステップＳ５１）。メールアドレス要求を受け取ったパソコン２では、サーバ３に対してメールアドレスを通知する（ステップＳ５２）。その後、サーバ３では、上記メールアドレス，パスワード，シリアルナンバー，課金情報等を、データ取得情報として記録する（ステップＳ５３）。そして、メールにてパソコン２に対してパスワードを通知し（ステップＳ５４）、その後、図３と同様に、要求されたコンテンツのデータと上記シリアルナンバーと課金情報（課金あり）とを含むデータ情報を暗号化し、暗号化後のデータをパソコン２に対して送信する（ステップＳ２３）。なお、セキュリティをある程度許容できる場合には、上記暗号化処理を行う必要はない。
【００６０】
また、ステップＳ３３の処理でシリアルナンバー，個体番号による認証を行ったサーバ３では、つぎに、携帯電話端末１のブラウザ１２に対してパスワード要求を通知する（ステップＳ５５）。パスワード要求を受け取ったブラウザ１２では、パスワード入力の画面を表示し、パスワードの入力を待つ。そして、ユーザがパスワードの入力操作を行った後、そのパスワードをサーバ３に対して送信する（ステップＳ５６）。サーバ３では、受け取ったパスワードによる認証を行い（ステップＳ５７）、ＯＫであれば、図３と同様に、シリアルナンバーと課金情報（課金あり）と個体番号をアプリケーション取得情報として記録する（ステップＳ３４）。
【００６１】
なお、予め上記特定のコンテンツデータ（上記暗号化データまたは上記データ情報）が格納されたメディア等を直接販売する場合には、ステップＳ１，ステップＳ２１〜Ｓ２５，Ｓ５１，Ｓ５２，Ｓ５４を行う必要はない。また、この場合には、購入時にメールアドレスを登録し、ユーザのメールアドレス宛てにパスワードを通知する。
【００６２】
また、図６は、実施の形態１のコンテンツデータ処理方法における第４のダウンロード手順を示す図である。ここでは、シリアルナンバーとＰＩＮと個体番号を用いて認証を行う例について説明する。なお、先に説明した図３と同様の処理については同一のステップ番号を付してその説明を省略する。
【００６３】
まず、ステップＳ２１の処理で所望のコンテンツのデータをダウンロードするためのダウンロード要求と課金情報（課金あり／なし）を受け取ったサーバ３では、要求元ユーザ毎に個別のシリアルナンバーを発行する。同時に、パソコン２に対してＰＩＮ要求を通知する（ステップＳ６１）。ＰＩＮ要求を受け取ったパソコン２では、ＰＩＮ入力画面を表示し、ＰＩＮの入力を待つ。そして、ユーザがＰＩＮの入力操作を行った後、サーバ３に対してＰＩＮを通知する（ステップＳ６２）。その後、サーバ３では、上記ＰＩＮ，シリアルナンバー，課金情報等を、データ取得情報として記録し（ステップＳ６３）、図３と同様に、要求されたコンテンツのデータと上記シリアルナンバーと課金情報（課金あり）とを含むデータ情報を暗号化し、暗号化後のデータをパソコン２に対して送信する（ステップＳ２３）。なお、セキュリティをある程度許容できる場合には、上記暗号化処理を行う必要はない。
【００６４】
また、ステップＳ３３の処理でシリアルナンバー，個体番号による認証を行ったサーバ３では、つぎに、携帯電話端末１のブラウザ１２に対してＰＩＮ要求を通知する（ステップＳ６４）。ＰＩＮ要求を受け取ったブラウザ１２では、ＰＩＮ入力の画面を表示し、ＰＩＮの入力を待つ。そして、ユーザがＰＩＮの入力操作を行った後、そのＰＩＮをサーバ３に対して送信する（ステップＳ６５）。サーバ３では、受け取ったＰＩＮによる認証を行い（ステップＳ６６）、ＯＫであれば、図３と同様に、シリアルナンバーと課金情報（課金あり）と個体番号をアプリケーション取得情報として記録する（ステップＳ３４）。
【００６５】
なお、予め上記特定のコンテンツデータ（上記暗号化データまたは上記データ情報）が格納されたメディア等を直接販売する場合には、ステップＳ１，ステップＳ２１〜Ｓ２５，Ｓ６１，Ｓ６２を行う必要はない。また、この場合には、購入時にユーザ希望のＰＩＮを登録する。
【００６６】
ここで、上記コンテンツデータ処理方法を用いてメモリカードにダウンロード可能なデータの一例を示す。たとえば、キャラクターやマップデータ等のゲーム要素データをメモリカードに持つことによって、質の高いゲームを提供できる。また、複合的な情報が含まれる膨大な地図データをメモリカードに持つことによって、地図をスクロールして情報を検索／閲覧する場合であっても、追加でダウンロードすることのコスト／手間／時間を節約することが可能となり、利便性が向上する。また、ＰＯＩデータや地図データをメモリカードに持つことによって、飲食店やプレイスポット等の検索処理を短縮できる。また、多数の画像データをメモリカードに持つことによって、画像の検索時間を短縮できる。また、膨大な書籍データをメモリカードに持つことによって、書籍の検索時間を短縮できる。また、多数のキャラクタデータをメモリカードに持つことによって、チャットにリンクしたキャラクターの動きを実現できる。また、動画データをメモリカードに持つことによって、いつでも動画を見ることができる。
【００６７】
このように、本実施の形態では、まず、パソコンにて所望のコンテンツのデータをメモリカードにダウンロードし、その後、携帯電話端末にて所望のコンテンツのアプリケーションをダウンロードし、携帯電話端末内のダウンロードマネージャが、アプリケーションとデータとの関連付けを行う構成とした。このとき、データのダウンロードについては暗号化処理を行うこととした。さらに、アプリケーションとデータとが１対１に対応付けられていないと、そのアプリケーションを実行できない構成とした。これにより、一定のセキュリティを確保しつつ、適当な料金でかつ短時間に、大容量のコンテンツを利用できる。
【００６８】
また、携帯電話端末に、内部メモリに記憶されたアプリケーションとメモリカードに記憶されたデータとを関連付けるダウンロードマネージャを採用したので、アプリケーションによる外部容量からの読み取り処理や外部容量への編集処理を実現できる。
【００６９】
なお、本実施の形態においては、データのダウンロード時に、課金情報として、データに対する特定の課金があったかどうかを設定したが、課金情報についてはこれに限らず、たとえば、アプリケーションのダウンロード時に、アプリケーションに対して特定の課金があったかどうかを設定してもよい。また、課金は、月額制であってもよいし、従量制であってもよい。また、課金は、通信事業者で行ってもよいし、ＣＰで行ってもよい。
【００７０】
また、本実施の形態においては、所望コンテンツに対応するデータを記録するためにメモリカードを用いたが、これに限らず、他の記録媒体を用いることとしてもよい。
【００７１】
また、図１２に示すように、たとえば、ＵＳＢ等のケーブルやＢｌｕｅｔｏｏｔｈ等の無線回線を利用して携帯電話端末１とパソコン２を接続することで、パソコン２のダウンロードマネージャ２１が、携帯電話端末１に挿入されたメモリカードに、ダウンロードしたデータ部分等を直接書き込むこととしてもよい。このとき、サーバ３は、モバイルネットワークを用いた場合と同様のセキュリティを確保するのであれば、データ部分等を暗号化して送信する。一方、セキュリティをある程度許容できる場合には、データ部分等を暗号化しないで送信する。
【００７２】
また、本実施の形態においては、前記特定コンテンツの利用を認証するための情報として、携帯電話端末の個体番号を用いることとしたが、ここでは、携帯電話端末を特定可能な情報であればこれ以外でも構わない。
【００７３】
実施の形態２．
前述の実施の形態１では、データをダウンロードした後にアプリケーションをダウンロードする場合の例について説明した。これに対して、実施の形態２では、アプリケーションをダウンロードした後にデータをダウンロードする場合の例について説明する。なお、本実施の形態の移動体通信システムの構成については、前述の図１と同一である。
【００７４】
ここで、実施の形態２のコンテンツデータ処理方法について詳細に説明する。図７は、実施の形態２のコンテンツデータ処理方法を示す図である。なお、先に説明した図２と同様の処理については、同一のステップ番号を付してその説明を省略する。ここでは、先に説明した実施の形態１と異なるステップＳ７１の動作についてのみ説明する。
【００７５】
図８は、本実施の形態のコンテンツデータ処理方法における第１のダウンロード手順を示す図である。ここでは、認証を行わない場合の例について説明する。
【００７６】
まず、携帯電話端末１のユーザがブラウザ１２を起動すると（ステップＳ８０）、ブラウザ１２は、内部メモリ１３から個体番号を読み出す（ステップＳ８１）。そして、所望のコンテンツのアプリケーションをダウンロードするためのアプリケーション要求と上記個体番号とを、サーバ３に対して通知する（ステップＳ８２）。同時に、ダウンロードマネージャ１１に対して起動要求を通知し（ステップＳ８４）、ダウンロードマネージャ１１はこの通知をきっかけに処理を開始する（ステップＳ８５）。
【００７７】
アプリケーション要求を受け取ったサーバ３では、要求元ユーザ毎に個別のシリアルナンバーを発行し、当該シリアルナンバー，上記個体番号等をアプリケーション取得情報として記録する（ステップＳ８３）。その後、サーバ３では、要求されたコンテンツのアプリケーションに対応するデータの情報である対応データ情報（ＵＲＬ，シリアルナンバー）を、ダウンロードマネージャ１１を経由してメモリカードに記録する（ステップＳ８６）。また、要求されたコンテンツのアプリケーション（＋シリアルナンバー）を携帯電話端末１の内部メモリ１３に対して送信する（ステップＳ８７）。
【００７８】
つぎに、ユーザは、上記対応データ情報が記録されたメモリカードをパソコン２の所定位置に挿入し（ステップＳ８８）、パソコン２にインストールされたダウンロードマネージャ２１を起動する（ステップＳ８９）。ダウンロードマネージャ２１では、メモリカードにアクセスして所望コンテンツのデータに対応するＵＲＬとシリアルナンバーを読み出し（ステップＳ９０）、それらの情報の正規性をチェックする（ステップＳ９１）。そして、読み出したＵＲＬを指定して、所望コンテンツに対応するデータをダウンロードするためのデータダウンロード要求と、上記シリアルナンバーおよび課金情報（課金あり）と、をサーバ３に対して送信する（ステップＳ９２）。
【００７９】
サーバ３では、受け取ったシリアルナンバー，課金情報等を、データ取得情報として記録する（ステップＳ９３）。そして、「課金あり」の場合は、要求されたコンテンツのデータを暗号化し、暗号化後のデータをパソコン２に対して送信する（ステップＳ９４）。なお、セキュリティをある程度許容できる場合には、上記暗号化処理を行う必要はない。その後、パソコン２のダウンロードマネージャ２１では、受け取った暗号化データをメモリカードに記録する（ステップＳ９５）。以降、前述の実施の形態１と同様の手順で所望のコンテンツを利用する（ステップＳ４〜ステップＳ１０）。
【００８０】
なお、本実施の形態においては、図８に示す手順にしたがって、所望のコンテンツのアプリケーションおよびデータをダウンロードする（ステップＳ７１）こととしたが、これに限らず、後述する図９，図１０，図１１にしたがってダウンロードすることとしてもよい。
【００８１】
図９は、実施の形態２のコンテンツデータ処理方法における第２のダウンロード手順を示す図である。ここでは、パスワードを用いて認証を行う例について説明する。なお、先に説明した図８と同様の処理については同一のステップ番号を付してその説明を省略する。
【００８２】
まず、ステップＳ８２の処理で所望のコンテンツのアプリケーションをダウンロードするためのダウンロード要求と個体番号を受け取ったサーバ３では、要求元ユーザ毎に個別のシリアルナンバーおよびパスワードを発行し、当該シリアルナンバー，パスワード，上記個体番号等を、アプリケーション取得情報として記録する（ステップＳ１０１）。そして、当該パスワードを携帯電話端末１に対して通知する（ステップＳ１０２）。その後、携帯電話端末１のブラウザ１２では、受け取ったパスワードを画面上に表示する（ステップＳ１０３）。
【００８３】
また、ステップＳ９３の処理でデータ取得情報を記録した後、サーバ３では、つぎに、パソコン２に対してパスワード要求を通知する（ステップＳ１０４）。パスワード要求を受け取ったパソコン２では、パスワード入力の画面を表示し、パスワードの入力を待つ。そして、ユーザがパスワードの入力操作を行った後、そのパスワードをサーバ３に対して送信する（ステップＳ１０５）。サーバ３では、受け取ったパスワードによる認証を行い（ステップＳ１０６）、ＯＫであれば、図８と同様に、所望のコンテンツに対応するデータを暗号化して送信する（ステップＳ９４）。
【００８４】
また、図１０は、実施の形態２のコンテンツデータ処理方法における第３のダウンロード手順を示す図である。ここでは、メールにてパスワードを発行し、パスワードを用いて認証を行う例について説明する。なお、先に説明した図８と同様の処理については同一のステップ番号を付してその説明を省略する。
【００８５】
まず、ステップＳ８２の処理で所望のコンテンツのアプリケーションをダウンロードするためのダウンロード要求と個体番号を受け取ったサーバ３では、要求元ユーザ毎に個別のシリアルナンバーおよびパスワードを発行する。同時に、携帯電話端末１に対してメールアドレス要求を通知する（ステップＳ１１１）。メールアドレス要求を受け取った携帯電話端末１のブラウザ１２では、サーバ３に対してメールアドレスを通知する（ステップＳ１１２）。その後、サーバ３では、上記メールアドレス，シリアルナンバー，パスワード，個体番号等を、アプリケーション取得情報として記録する（ステップＳ１１３）。そして、メールにて上記パスワードを携帯電話端末１に対して通知する（ステップＳ１１４）。
【００８６】
また、ステップＳ９３の処理でデータ取得情報を記録した後、サーバ３では、つぎに、パソコン２に対してパスワード要求を通知する（ステップＳ１１５）。パスワード要求を受け取ったパソコン２では、パスワード入力の画面を表示し、パスワードの入力を待つ。そして、ユーザがパスワードの入力操作を行った後、そのパスワードをサーバ３に対して送信する（ステップＳ１１６）。サーバ３では、受け取ったパスワードによる認証を行い（ステップＳ１１７）、ＯＫであれば、図８と同様に、所望のコンテンツに対応するデータを暗号化して送信する（ステップＳ９４）。
【００８７】
また、図１１は、実施の形態２のコンテンツデータ処理方法における第４のダウンロード手順を示す図である。ここでは、ＰＩＮを用いて認証を行う例について説明する。なお、先に説明した図８と同様の処理については同一のステップ番号を付してその説明を省略する。
【００８８】
まず、ステップＳ８２の処理で所望のコンテンツのアプリケーションをダウンロードするためのダウンロード要求と個体番号を受け取ったサーバ３では、要求元ユーザ毎に個別のシリアルナンバーを発行する。同時に、携帯電話端末１に対してＰＩＮ要求を通知する（ステップＳ１２１）。ＰＩＮ要求を受け取った携帯電話端末１のブラウザ１２では、ＰＩＮ入力画面を表示し、ＰＩＮの入力を待つ。そして、ユーザがＰＩＮの入力操作を行った後、サーバ３に対してＰＩＮを通知する（ステップＳ１２２）。その後、サーバ３では、上記シリアルナンバー，ＰＩＮ，個体番号等を、アプリケーション取得情報として記録する（ステップＳ１２３）。
【００８９】
また、ステップＳ９３の処理でデータ取得情報を記録した後、サーバ３では、つぎに、パソコン２に対してＰＩＮ要求を通知する（ステップＳ１２４）。ＰＩＮ要求を受け取ったパソコン２では、ＰＩＮ入力の画面を表示し、ＰＩＮの入力を待つ。そして、ユーザがＰＩＮの入力操作を行った後、そのＰＩＮをサーバ３に対して送信する（ステップＳ１２５）。サーバ３では、受け取ったＰＩＮによる認証を行い（ステップＳ１２６）、ＯＫであれば、図８と同様に、所望のコンテンツに対応するデータを暗号化して送信する（ステップＳ９４）。
【００９０】
このように、本実施の形態では、まず、携帯電話端末にて所望のコンテンツのアプリケーションをダウンロードし、その後、パソコンにて所望のコンテンツのデータをメモリカードにダウンロードし、携帯電話端末内のダウンロードマネージャが、アプリケーションとデータとの関連付けを行う構成とした。このとき、データのダウンロードについては暗号化処理を行うこととした。さらに、アプリケーションとデータとが１対１に対応付けられていないと、そのアプリケーションを実行できない構成とした。これにより、一定のセキュリティを確保しつつ、適当な料金でかつ短時間に、大容量のコンテンツを利用できる。
【００９１】
また、携帯電話端末に、内部メモリに記憶されたアプリケーションとメモリカードに記憶されたデータとを関連付けるダウンロードマネージャを採用したので、アプリケーションによる外部容量からの読み取り処理や外部容量への編集処理を実現できる。
【００９２】
また、本実施の形態においては、図１２に示すように、たとえば、ＵＳＢ等のケーブルやＢｌｕｅｔｏｏｔｈ等の無線回線を利用して携帯電話端末１とパソコン２を接続することで、パソコン２のダウンロードマネージャ２１が、携帯電話端末１に挿入されたメモリカードから、データ取得用のＵＲＬ等を直接読み出すこととしてもよい。
【００９３】
【発明の効果】
以上、説明したとおり、本発明によれば、まず、パソコンにて所望のコンテンツのデータをメモリカードにダウンロードし、その後、携帯電話端末にて所望のコンテンツのアプリケーションをダウンロードし、携帯電話端末内のダウンロードマネージャが、アプリケーションとデータとの関連付けを行う構成とした。このとき、アプリケーションとデータとが１対１に対応付けられていないと、そのアプリケーションを実行できない構成とした。これにより、一定のセキュリティを確保しつつ、適当な料金でかつ短時間に、大容量のコンテンツを利用できる、という効果を奏する。
【００９４】
つぎの発明によれば、まず、携帯電話端末にて所望のコンテンツのアプリケーションをダウンロードし、その後、パソコンにて所望のコンテンツのデータをメモリカードにダウンロードし、携帯電話端末内のダウンロードマネージャが、アプリケーションとデータとの関連付けを行う構成とした。このとき、アプリケーションとデータとが１対１に対応付けられていないと、そのアプリケーションを実行できない構成とした。これにより、一定のセキュリティを確保しつつ、適当な料金でかつ短時間に、大容量のコンテンツを利用できる、という効果を奏する。
【図面の簡単な説明】
【図１】本発明にかかる移動体通信システムの構成例を示す図である。
【図２】実施の形態１のコンテンツデータ処理方法を示す図である。
【図３】実施の形態１のコンテンツデータ処理方法における第１のダウンロード手順を示す図である。
【図４】実施の形態１のコンテンツデータ処理方法における第２のダウンロード手順を示す図である。
【図５】実施の形態１のコンテンツデータ処理方法における第３のダウンロード手順を示す図である。
【図６】実施の形態１のコンテンツデータ処理方法における第４のダウンロード手順を示す図である。
【図７】実施の形態２のコンテンツデータ処理方法を示す図である。
【図８】実施の形態２のコンテンツデータ処理方法における第１のダウンロード手順を示す図である。
【図９】実施の形態２のコンテンツデータ処理方法における第２のダウンロード手順を示す図である。
【図１０】実施の形態２のコンテンツデータ処理方法における第３のダウンロード手順を示す図である。
【図１１】実施の形態２のコンテンツデータ処理方法における第４のダウンロード手順を示す図である。
【図１２】本発明にかかる移動体通信システムの構成例を示す図である。
【符号の説明】
１　携帯電話端末
２　パソコン（ＰＣ）
３　サーバ
１１　ダウンロードマネージャ
１２　ブラウザ
１３　内部メモリ
２１　ダウンロードマネージャ
【図１】
2004102826.tif 000003
【図２】
2004102826.tif 000004
【図３】
2004102826.tif 000005
【図４】
2004102826.tif 000006
【図５】
2004102826.tif 000007
【図６】
2004102826.tif 000008
【図７】
2004102826.tif 000009
【図８】
2004102826.tif 000010
【図９】
2004102826.tif 000011
【図１０】
2004102826.tif 000012
【図１１】
2004102826.tif 000013
【図１２】
2004102826.tif 000014